(57)【要約】【課題】仰向けの姿勢で、書籍等を保持する腕の疲労を軽減し、長時間楽な姿勢で視聴を行うことのできる腕用クッションを提供することを目的とする。【解決手段】本発明の腕用クッション１０は、ベースとなり、使用者１００の上腕１０１または肘１０２を支持する枕本体２０と、枕本体２０の上部２２の中心からオフセットした位置より渦巻状に突出し、使用者１００の肘１０２の内側に挟み込むことで前腕１０３の角度を支持するアーム部３０とを有し、枕本体２０とアーム部３０は一体に形成されている。【選択図】図１
2011110224.tif 000002
【特許請求の範囲】
【請求項１】
腕を支える腕用クッションであって、
ベースとなる枕本体と、
前記枕本体の上部の中心からオフセットした位置より突出する渦巻き状のアーム部とを有し、
前記枕本体と前記アーム部は一体に形成されていることを特徴とする腕用クッション。
【請求項２】
仰向けの姿勢で視聴対象物を掲げる際に用いるものであって、
前記枕本体上に上腕または肘を載せ、前記アーム部を肘の内側に挟むことで、前記視聴対象物を掲げたときの肘の角度を維持することを特徴とする請求項１に記載の腕用クッション。
【請求項３】
前記枕本体は、底面を有し、
前記底面は、前記枕本体の上部の投影面積よりも面積が大きいことを特徴とする請求項１または２に記載の腕用クッション。
【請求項４】
前記アーム部は、先端にいくに従い断面積が小さくなる先細り形状であることを特徴とする請求項１から３のいずれか一項に記載の腕用クッション。
【請求項５】
前記アーム部の断面形状が、渦巻き状の前記アーム部の中心に向けて、幅が漸次小さくなることを特徴とする請求項１から４のいずれか一項に記載の腕用クッション。
【請求項６】
前記アーム部は、カバーと、前記カバー内に充填された粒状の充填物とからなり、
前記充填物は、前記カバー内で移動可能なように充填されていることを特徴とする請求項１から５のいずれか一項に記載の腕用クッション。
【請求項７】
前記腕用クッションは、カバーと、前記カバー内に充填された粒状の充填物とからなり、
前記充填物は、前記アーム部と前記枕本体との間を行き来できるように充填されていることを特徴とする請求項１から５のいずれか一項に記載の腕用クッション。
【請求項８】
前記アーム部は、前記枕本体よりも柔らかく形成されていることを特徴とする請求項１から７のいずれか一項に記載の腕用クッション。
【請求項９】
仰向けの姿勢で視聴対象物を掲げるときに腕を支える腕用クッションであって、
上腕または肘を載せる枕本体と、
肘の内側に挟むことにより前腕を支えるアーム部と、からなり、
前記枕本体と前記アーム部は一体に形成されていることを特徴とする腕用クッション。
【発明の詳細な説明】
【技術分野】
【０００１】
本発明は、仰向けの姿勢で書籍等の視聴対象物を手で掲げて保持する際に用いるのに適した腕用クッションに関する。
【背景技術】
【０００２】
書籍、新聞、書類、写真、ＰＤＡ（Personal Digital Assistant）等の携帯型情報端末、携帯型電話端末、携帯型ディスクプレーヤ等、様々な視聴対象物を仰向けの姿勢で視聴する場合、視聴対象物は、胸や顔の上方位置に手で掲げて保持する。
このため、視聴対象物を長時間掲げていると腕が疲れ、同じ姿勢を維持することができず、視聴をし続けることが困難となることがある。
【０００３】
そこで、書籍等を支えたり載置する器具が、従来、多種提案されている。
また、腕を下ろした楽な姿勢で書籍を開いて保持し、仰向けになった身体の上方に配置された鏡によって、書籍の開かれたページを反射させて写す、という読書用補助器もある（例えば、特許文献１）。
【０００４】
また、枕本体に頭を載せ、子枕に肘を載せることにより、仰向けの状態で、書籍を保持した腕を支える構成の読書用クッションも提案されている（例えば、特許文献２）。肘の下に枕を置くことにより、肘の高さ、つまり、上腕を上げた体勢を楽に維持することができる。
【先行技術文献】
【特許文献】
【０００５】
【特許文献１】特開平９−２１５５２５号公報
【特許文献２】実用新案登録第３０００３７５号公報
【発明の概要】
【発明が解決しようとする課題】
【０００６】
しかしながら、特許文献１に記載されているような器具は、仰向けになった体の上方に書籍や鏡を配置させる必要があるため、器具が大がかりなものとなってしまう。そして、器具を使用しないときには、器具の保管に場所をとることもある。
【０００７】
また、特許文献２では、枕により上腕を支えていたが、書籍を持つ前腕については、支えるには至っていなかったため、書籍を保持した前腕の角度維持が難しく、前腕が疲れ、安定した読書姿勢を保つことが難しいという問題がある。
本発明は、このような技術的課題に基づいてなされたもので、仰向けの姿勢で、書籍等を保持する腕の疲労を軽減し、長時間楽な姿勢で視聴を行うことのできる腕用クッションを提供することを目的とする。
【課題を解決するための手段】
【０００８】
かかる目的のもとになされた本発明は、腕を支える腕用クッションであって、ベースとなる枕本体と、枕本体の上部の中心からオフセットした位置より突出する渦巻き状のアーム部とを有し、枕本体とアーム部が一体に形成されていることを特徴とする。この腕用クッションは、仰向けの姿勢で書籍等の視聴対象を掲げる際に用いるものであって、枕本体上に上腕または肘を載せ、アーム部を肘の内側に挟むことで、視聴対象物を掲げたときの肘の角度を維持する。これにより、仰向けの姿勢で視聴対象物を保持する上腕及び前腕を支え、腕の疲労を抑えることができる。
【０００９】
枕本体は、底面を有し、底面は、枕本体上部の投影面積よりも面積が大きい。このような広い底面を有することにより、本発明使用時のぐらつきをなくすことができる。また、使用時以外でも、安定感のある本発明の腕用クッションは自立するため、インテリアとしての有益性を備えることができる。
【００１０】
渦巻状のアーム部は、具体的にはいかなる形状としても良いが、枕本体からの立ち上がり部分から先端にいくに従い断面積が小さくなる先細り形状をしている。また、その断面形状は、略三角形状で、渦巻き状のアーム部の内側、つまり渦の中心に向かってアーム部断面の幅が漸次小さくなる。
断面を三角形状とするのは、曲げた肘内側の形状に合わせるためである。これにより、アーム部を肘の内側に挟んだときの自然な使用感を得ることができる。
またアーム部が先細り形状であるのは、アーム部の場所により、その太さを異ならせ、使用者の好みの太さに対応できるようにしたためである。
【００１１】
アーム部は、カバーと、カバー内に充填された粒状の充填物とからなり、充填物は、アーム部カバー内で移動可能なようにゆとりを持たせて充填されている。または、アーム部だけでなく、枕本体もカバーと粒状の充填物とから構成することもでき、その場合、粒状の充填物が、アーム部と枕本体との間で行き来できるように充填されていても良い。アーム部カバー内、及び／またはアーム部と枕本体との間で充填物が移動することにより、アーム部の太さや、曲げやすさを使用者が好みにより調節することができる。
つまり充填物は、アーム部内だけで移動できるようにしても良いし、充填物が、アーム部と枕本体の内部を行き来できるようにしても良い。ここで充填物がアーム部と枕本体内部を行き来する場合は、アーム部の枕本体との接続部分は、アーム部の他の部分より太いほうが、内部で充填物のアーム部から枕本体への、枕本体からアーム部への移動が容易となる。そのため、アーム部は、枕本体からの立ち上がり部分を一番太くすることが好ましい。アーム部の先端にいくに従い先細る形状の目的は、前記したとおりである。
【００１２】
アーム部は、枕本体より柔らかく形成するのが好ましい。柔らかいアーム部は、本発明の腕用クッション使用時に屈曲させるのが容易である。これには、充填物をアーム部から枕本体へ適量移動させる。枕本体内に充填物を詰めこむと、硬い枕本体を形成することができる。
また、アーム部や枕本体は、スポンジや発泡スチロール等を用いて形成することもできる。その場合は、アーム部と枕本体とで、スポンジや発泡スチロール等の硬度を異ならせるのが好ましい。
【００１３】
以上より、本発明は、仰向けの姿勢で視聴対象物を掲げるときに腕を支える腕用クッションであって、上腕または肘を載せる枕本体と、肘の内側に挟むことにより前腕を支えるアーム部と、からなり、枕本体とアーム部は一体に形成されていることを特徴とする腕用クッション、とすることもできる。
【発明の効果】
【００１４】
本発明によれば、クッションで、上腕のみならず、前腕をも支えることにより、長時間仰向けの姿勢で視聴対象物を顔や胸の上方に掲げて保持することができる。また、本発明は、腕を支えることを目的としたクッションであるから、小ぶりで、使用時以外の保管に場所をとることがない。
【図面の簡単な説明】
【００１５】
【図１】本実施の形態における腕用クッションの構成斜視図である。
【図２】本発明の腕用クッションを使用し、視聴対象物を保持している状態を表した図であり、腕用クッションを図１のＡ−Ａ断面で示した図である。
【図３】図１のＡ−Ａ断面図である。
【図４】本発明の腕用クッションの側面図である。
【発明を実施するための形態】
【００１６】
以下、添付図面に示す実施の形態に基づいてこの発明を詳細に説明する。
図１は、本実施の形態における腕用クッションの構成を説明するための図である。
図１に示すように、腕用クッション１０は、ベースとなる枕本体２０と、枕本体２０の上部２２から上方に突出するアーム部３０とを有する。
図２に示すように、枕本体２０は、視聴対象物２００を持つ腕の肘１０２または上腕１０１を載せるためのものである。使用者１００が仰向けの姿勢で視聴対象物２００を掲げ持つ際、使用者１００の上腕１０１は、床面からわずかに浮かせたままの状態を維持しなければならない。本実施形態の腕用クッション１０においては、枕本体２０上に肘１０２または上腕１０１を置くことにより、上腕１０１を支え、姿勢を楽に保つことができる。また、枕本体２０は肘１０２または上腕１０１を置くことから、安定性が必要となるため、底面２１を有する。この枕本体２０の底面２１は、枕本体２０の上部２２の投影面積よりも面積が大きい。したがってこの底面２１を有する腕用クッション１０は座りが良くなる。
【００１７】
アーム部３０は、枕本体２０と一体に形成されており、枕本体２０の上部２２の中心から一方の側面２０ａ側にオフセットした位置より上方に突出する。図１、４に示すように、アーム部３０は、渦巻き形状であるため、枕本体２０の上部２２から上方へ突出した後、他方の側面２０ｂ側に向けて弧を描くように延び、枕本体２０の上部２２上方で、先端に行くに従いその曲率半径が小さくなるように下向きに丸まり、枕本体２０の上部２２の投影面積内に位置する。使用時以外のアーム部３０は、枕本体２０の上部２２上に丸まった状態で載っている。したがって、本実施形態の腕用クッション１０は、自立する。これは、保管の際の利便性及び外観の良さを目的としている。
【００１８】
アーム部３０は、肘１０２の内側に挟まれることにより、使用者１００が仰向けの姿勢で視聴対象物２００を掲げ持つときの肘１０２の角度を維持する。つまり、肘１０２にアーム部３０を挟むことにより、視聴対象物２００を保持する前腕１０３を支えることができる。上述の通り、枕本体２０により上腕１０１を、アーム部３０により前腕１０３を支えることが、使用者１００が仰向けの姿勢で視聴対象物２００を保持する際の疲労を抑える上で、有効である。
このように本実施形態においては、上腕１０１及び前腕１０３の２つの部位を支えることが重要であるが、そのために部品点数が増えてしまっては、取り扱い上不便が生じるため、上腕１０１を支える枕本体２０と、前腕１０３を支えるアーム部３０は、一体的に形成されている。
【００１９】
アーム部３０はまた、その先端３１にいくに従い断面積が小さくなる先細り形状をしている。また、そのアーム部３０の断面形状は、図３に示すように渦巻き状のアーム部３０の中心Ｃに向けて、幅が漸次小さくなる略三角形とされている。図２を参照すると、腕用クッション１０の使用者１００の肘１０２の内側全体を覆うようにアーム部３０が挟まれるが、このときの肘１０２の内側、つまりアーム部３０が嵌めこまれる場所は図に示すとおり三角形状をしていることから、断面三角形のアーム部３０は、曲げた肘１０２の内側の形状に対応し、より自然な使用感を実現する。
さらに、曲げる肘１０２の角度は、使用者１００によって好みがあるため、アーム部は、さまざまな太さのものを用意する必要があるが、本実施形態のアーム部３０は、枕本体２０からの立ち上がり部分３２が最も太く、先端３１にいくに従い、徐々に細くなっていく先細り形状であるから、使用者１００は、アーム部３０の好みの太さの場所を肘１０２の内側に挟んで使用することができる。つまり、アーム部３０の枕本体２０からの立ち上がり部分３２から先端３１まで、アーム部３０は太さがさまざまであるため、使用者１００の好みに、本実施形態の腕用クッション１０、１つで対応することができる。
【００２０】
アーム部３０は、カバーとカバー内に充填される粒状の充填物とから構成されている。そして、当該カバー内において、粒状の充填物が移動可能とされている。これにより前述したアーム部３０の太さに、さらなるバリエーションを持たせることが可能となる。アーム部３０の肘１０２に挟む部分に充填物を寄せ集めることで太いアーム部３０、反対に肘１０２に挟む部分を除けるように充填物を移動させると細いアーム部３０となる。このため充填物は、アーム部３０のカバー内において、容易に移動できるよう、粒状であり、さらに、カバー内に多少のゆとりを残すような量を充填されるのが好ましい。そうすることで、アーム部３０は、太さの調節のみならず、使用時の曲げやすさもたやすく調節可能となる。
【００２１】
また、例えば、前述のアーム部３０同様、枕本体２０もカバーと粒状の充填物とから構成した場合、充填物を、アーム部３０と枕本体２０とを行き来させることができる。これにより、アーム部３０と枕本体２０の硬さを変えることができる。
このように、アーム部３０と枕本体２０とで違う硬さや感触を求める場合、アーム部３０の充填物が、アーム部３０のカバー内だけで移動可能とした上、枕本体２０の充填物は、アーム部３０の充填物とは異なる素材としてもよい。本発明の腕用クッション１０は、アーム部３０の充填物が粒状であることが好ましく、それ以外のアーム部３０及び枕本体２０のカバー、枕本体２０の充填物の素材については、なんら限定する意図はない。
【００２２】
なお、上記実施の形態では、枕本体２０をカバーと充填物から構成したが、これ以外の弾力性のある素材単体、たとえばスポンジ、発泡スチロール等を枕本体２０とすることもできる。つまり、アーム部３０と枕本体２０が異なる素材とすることができる。ただ、いかなる場合においても、アーム部３０は枕本体２０から立ち上がる形状とする。
これ以外にも、本発明の主旨を逸脱しない限り、上記実施の形態で挙げた構成を取捨選択したり、他の構成に適宜変更することが可能である。
【符号の説明】
【００２３】
１０…腕用クッション、２０…枕本体、２１…底面、２２…上部、３０…アーム部、３１…先端、３２…立ち上がり部分、１００…使用者、１０１…上腕、１０２…肘、１０３…前腕
【図１】
2011110224.tif 000003
【図２】
2011110224.tif 000004
【図３】
2011110224.tif 000005
【図４】
2011110224.tif 000006